(57)【要約】【課題】  変圧器部の冷却効率を上げるとともに、進入した雨水を良好に排出できるようにした地上用変圧器装置を提供する。【解決手段】  タンク内に変圧器本体を封入した変圧器部と、高圧側端子や一次側ブッシングを収容する一次コンパートメント部と、低圧側端子や二次側ブッシングを収容する二次コンパートメント部と、前記変圧器部、前記一次コンパートメント部および前記二次コンパートメント部を収容する外箱を備え、地上に設置される地上用変圧器装置であって、前記変圧器部の上方であって、前記外箱の天井板に通気孔を備え、前記外箱の下部に排水口を備える。【選択図】  図１
2019092362.tif 000002
【特許請求の範囲】
【請求項１】
タンク内に変圧器本体を封入した変圧器部と、高圧側端子や一次側ブッシングを収容する一次コンパートメント部と、低圧側端子や二次側ブッシングを収容する二次コンパートメント部と、前記変圧器部、前記一次コンパートメント部および前記二次コンパートメント部を収容する外箱を備え、地上に設置される地上用変圧器装置であって、
前記変圧器部の上方であって、前記外箱の天井板に通気孔を備え、
前記外箱の下部に排水口を備えることを特徴とする地上用変圧器装置。
【請求項２】
請求項１に記載の地上用変圧器装置において、
前記変圧器部に面して、前記外箱の側板および／または背面板に、外気を取り込む下部ギャラリおよび空気を排出する上部ギャラリを設けたことを特徴とする地上用変圧器装置。
【請求項３】
請求項２に記載の地上用変圧器装置において、
前記下部ギャラリを、前記下部ギャラリの通気孔の一部が前記外箱の底板の上面よりも低くなるように配置することにより、前記排水口を形成したことを特徴とする地上用変圧器装置。
【請求項４】
請求項１に記載の地上用変圧器装置において、
前記天井板の通気孔は、前記一次コンパートメント部および前記二次コンパートメント部から離れた位置に配置したことを特徴とする地上用変圧器装置。
【請求項５】
請求項１に記載の地上用変圧器装置において、
変圧器のタンクの上面に、前記排水口側が低くなる傾斜をつけたことを特徴とする地上用変圧器装置。
【請求項６】
請求項５に記載の地上用変圧器装置において、
前記変圧器のタンクの側面に冷却用の波リブを備え、前記タンクの上面の傾斜は、前記冷却用の波リブ側が低くなるように形成したことを特徴とする地上用変圧器装置。
【請求項７】
請求項１に記載の地上用変圧器装置において、
前記変圧器のタンクの上方に、前記排水口側が低くなる変圧器カバーを取り付けたことを特徴とする地上用変圧器装置。
【請求項８】
請求項７に記載の地上用変圧器装置において、
前記変圧器のタンクの側面に冷却用の波リブを備え、前記変圧器カバーは、前記冷却用の波リブ側が低くなるように取り付けたことを特徴とする地上用変圧器装置。
【請求項９】
請求項１に記載の地上用変圧器装置において、
前記外箱の天井板の側面および／または背面に通気孔を設けたことを特徴とする地上用変圧器装置。
【請求項１０】
請求項１に記載の地上用変圧器装置において、
前記一次コンパーメント部および前記二次コンパートメント部を気密構造としたことを特徴とした地上用変圧器装置。
【請求項１１】
請求項１に記載の地上用変圧器装置において、
前記外箱の天井板の通気孔は、前記天井板にギャラリを取り付けて形成したことを特徴とする地上用変圧器装置。
【請求項１２】
変圧器と、前記変圧器を覆い地上に設置される外箱を有する地上用変圧器装置であって、
前記外箱の上部には、内部と外部を貫通させ空気を通過させ流体を通過させないギャラリと、前記ギャラリとは異なる部分に内部と外部を貫通させ空気を通過させ流体を通過させる孔部が設けられ、
前記孔部は、前記外箱の下部または前記孔部よりも低い位置であって前記外箱の側面部の流路に接続されること、
を特徴とする地上用変圧器装置。
【発明の詳細な説明】
【技術分野】
【０００１】
本発明は、地上に設置される地上用変圧器装置に関する。
【背景技術】
【０００２】
敷地内や路上などの地上に設置される地上用変圧器装置は、タンク内に変圧器本体を封入した変圧器部、変圧器本体の一次側に一次側導体を接続する一次側ブッシング、変圧器本体の二次側に二次側導体を接続する二次側ブッシング、および、これらを収容する外箱を備えている。また、変圧器装置には、変圧器部を冷却するために、例えばギャラリなどの冷却構造を備えている。
【０００３】
例えば特許文献１には、変圧器本体を絶縁媒体が充填された変圧器タンク内に封入した変圧器と、前記変圧器本体の一次側に一次側導体を接続する一次側ブッシングと、前記変圧器本体の二次側に二次側導体を接続する二次側ブッシングと、これらを収納する配電箱とを備え、前記配電箱は、変圧器を収納する第１の収納室と前記一次側ブッシング及び／又は二次側ブッシングとを収納する第２の収納室とから構成されており、前記第１の収納室に対向する側板の下部に外気導入口を形成し、前記第１の収納室に対向する天井板に外気導出口を形成した配電用変圧器装置、が記載されている。
【先行技術文献】
【特許文献】
【０００４】
【特許文献１】特開２００７−２６６０６５号公報
【発明の概要】
【発明が解決しようとする課題】
【０００５】
地上用変圧器装置においては、中身の変圧器部の温度だけではなく、外箱を含めた変圧器装置全体の温度を考慮する必要がある。冷却のためにギャラリを設けてはいるが、変圧器装置は外箱に覆われた構造であることから、変圧器部が冷えづらく、温度上昇が小形化の妨げとなっている。
【０００６】
特許文献１では、変圧器を収納した第１の収納室に対向する側板の下部に外気導入口を設け、第１の収納室に対向する天井板に外気導出口を設けて、外気を導入して変圧器の冷却を行うことが記載されているが、外気に含まれる水分は変圧器の稼働時の発熱により蒸発して消滅させると記載されており、積極的に排出することは考慮されていない。
【０００７】
本発明は、変圧器部の冷却効率を上げるとともに、進入した雨水を良好に排出できるようにした地上用変圧器装置を提供することを目的とする。
【課題を解決するための手段】
【０００８】
上記課題を解決するための、本発明の「地上用変圧器装置」の一例を挙げるならば、
タンク内に変圧器本体を封入した変圧器部と、高圧側端子や一次側ブッシングを収容する一次コンパートメント部と、低圧側端子や二次側ブッシングを収容する二次コンパートメント部と、前記変圧器部、前記一次コンパートメント部および前記二次コンパートメント部を収容する外箱を備え、地上に設置される地上用変圧器装置であって、前記変圧器部の上方であって、前記外箱の天井板に通気孔を備え、前記外箱の下部に排水口を備えるものである。
【発明の効果】
【０００９】
本発明によれば、変圧器部の冷却効率を上げるとともに、進入した雨水を良好に排出できる。
【００１０】
そして、地上用変圧器装置の外箱や変圧器部の温度に余裕ができ、地上用変圧器装置を小形化し、コストの増大を抑制することができる。
【図面の簡単な説明】
【００１１】
【図１】本発明の実施例１の地上用変圧器装置を示す図である。
【図２】本発明の実施例２の地上用変圧器装置を示す側面図である。
【図３】本発明の実施例２の地上用変圧器装置の変形例を示す側面図である。
【図４】本発明の実施例３の地上用変圧器装置を示す側面図である。
【図５】本発明の実施例４の地上用変圧器装置を示す上部平面図である。
【図６】従来の地上用変圧器装置の一例を示す図である。
【発明を実施するための形態】
【００１２】
本発明の実施例を説明する前に、地上用変圧器装置の構造を説明する。
図６に、地上用変圧器装置の一例を示す。図６（ａ）は地上用変圧器装置の正面図、図６（ｂ）は上部平面図、図６（ｃ）は側面図、図６（ｄ）は背面図である。地上用変圧器装置１は、高圧側端子や一次側ブッシングを収容する一次コンパートメント部２、低圧側端子や二次側ブッシングを収容する二次コンパートメント部３、タンク７内に変圧器本体を封入した変圧器部４、これらを収容する外箱５、および外箱の開閉扉６からなっている。一次コンパーメント部２には、断路器や保護機構を備えていることもある。
【００１３】
外箱５は、例えば箱形をしており、底板５ａ、側板５ｂ、背面板５ｃ、天井板５ｄから構成されている。外箱の右側の側板５ｂおよび背面板５ｃには、その上部および下部に、ギャラリ９ａ，９ｂと呼ばれる通気孔が設けられている。図の例では、一次コンパーメント部２は左側に、変圧器部４は右側背面に、二次コンパーメント部３は右側前面に配置されている。一次および二次コンパートメント部は、JIS C 0920（電気機械器具の外郭による保護等級（IPコード））６項の、水の浸入に対する保護等級３「散水に対しての保護」に準拠することが定められている。
【００１４】
図６に示す地上用変圧器装置において、変圧器部４の冷却は、外箱の右側の側板５ｂおよび背面板５ｃに設けたギャラリ９により行われる。下部ギャラリ９ａから流入した外気は、変圧器タンク７の側面に設けた波リブ７ａに沿って上昇し、変圧器の熱を取り込む。そして、上昇した空気は、上部ギャラリ９ｂから外部に排出され、放熱する。
【００１５】
しかし、上部ギャラリ９ｂが、外箱５の側板５ｂおよび背面板５ｃに設けられているため、上昇する空気の流路が曲げられ、また、外箱５の上部の空気が滞るため、変圧器部の冷却効率が低下してしまう。
【００１６】
本発明は、変圧器部の冷却効率を上げるとともに、進入した雨水を良好に排出できるようにするものである。
【００１７】
以下、本発明の実施例について図に基づき説明する。
なお、実施例を説明するための各図において、同一の構成要素にはなるべく同一の名称、符号を付して、その繰り返しの説明を省略する。
【実施例１】
【００１８】
図１に、本発明の実施例１の地上用変圧器装置を示す。図１（ａ）は地上用変圧器装置の正面図、図１（ｂ）は上部平面図、図１（ｃ）は側面図、図１（ｄ）は背面図である。地上用変圧器装置１は、高圧側端子や一次側ブッシングを収容する一次コンパートメント部２、低圧側端子や二次側ブッシングを収容する二次コンパートメント部３、タンク７内に変圧器本体を封入した変圧器部４、これらを収容する外箱５、および外箱の開閉扉６からなっている。外箱５は、例えば箱形をしており、底板５ａ、側板５ｂ、背面板５ｃ、天井板５ｄから構成されている。図の例では、一次コンパーメント部２は左側に、変圧器部４は右側背面に、二次コンパーメント部３は右側前面に配置されている。一次コンパーメント部２や二次コンパーメント部３と変圧器部４との間には、仕切りが設けられていても良い。また、一次コンパーメント部２や二次コンパーメント部３は、絶縁の点から気密構造とされているのが好ましい。
【００１９】
本実施例では、地上用変圧器装置の外箱の天井板５ｄに通気孔１０を設ける。その際、通気孔の位置は、一次コンパーメント部２および二次コンパートメント部３から離れた、変圧器部４の上部とする。また、通気孔１０の位置は、変圧器タンクの周囲に設けた波リブ７ａの上部の位置とするのが、好ましい。
【００２０】
外箱の天井板５ｄに通気孔１０を設けることにより、下部ギャラリ９ｃから流入した空気は、変圧器タンクの周囲に設けた波リブ７ａに沿って上昇し、熱を持った空気は天井板５ｄの通気孔１０からスムーズに排気される。したがって、外箱の天井部に滞ること無く、熱を持った空気を効率的に排気することができる。
【００２１】
また、本実施例においては、下部ギャラリ９ｃの位置を下げ、外箱の底板５ａの上面の高さよりも下に、下部ギャラリ９ｃの通気孔の一部を配置する。天井板５ｄに通気孔１０を設けると、降雨の際に雨水が変圧器部に侵入するが、外箱の底板５ａの上面の高さよりも下に、下部ギャラリ９ｃの通気孔の一部を配置することにより、雨水の排水流路が形成され、下部ギャラリの９ｃの通気孔から外箱内に浸入した水を排水することができる。なお、雨水の排水流路としては、下部ギャラリとは別に、外箱５の側板５ｂまたは背面板５ｃに排水口を設けても良い。
【００２２】
本実施例によれば、地上用変圧器装置の外箱の天井板に通気孔を設けることにより、変圧器部の冷却効率を上げるとともに、下部ギャラリの位置を下げ、外箱の底板の上面の高さよりも下に下部ギャラリの通気孔の一部を配置することにより、天井板の通気孔から進入した雨水を良好に排出することができる。そして、地上用変圧器装置の外箱や変圧器部の温度に余裕ができ、地上用変圧器装置を小形化し、コストの増大を抑制することができる。
【実施例２】
【００２３】
図２に、本発明の実施例２の地上用変圧器装置を示す。図２は、地上用変圧器装置の右側面図を示す。
【００２４】
本実施例では、変圧器タンクの上面に傾斜を設ける。タンク上面の傾斜は、ギャラリ側が低くなるように、図の例では、背面側が低くなるように設ける。外箱の右側の側面にギャラリを設けている場合には、右側面側が低くなるように設けてもよい。また、タンク上面の傾斜は、一次または二次コンパーメント部ではなく、変圧器タンクの周囲に設けた波リブに向かって、侵入した雨水が流れるようにするのが好ましい。
【００２５】
本実施例によれば、天井板の通気孔から侵入した雨水は、タンク上面の傾斜に沿って流れ、下部ギャラリの通気孔から良好に排出することができる。また、雨水が変圧器タンクの周囲に設けた波リブに沿って流れることにより変圧器を冷却し、さらに冷却効率を上げることができる。
【００２６】
図３に、本発明の実施例２の地上用変圧器装置の変形例を示す。この変形例では、変圧器タンクの上面に傾斜を設けるに代えて、変圧器タンクの上側に、傾斜した変圧器タンクの上面カバー１５を取り付ける。上面カバー１５の傾斜は、ギャラリ側が低くなるように、図の例では、背面側が低くなるように設ける。
【００２７】
この変形例では、図２の実施例の効果に加えて、変圧器の構造自体は変更する必要がなく、上面カバーを傾斜して取り付ければ良いので、製造が容易である。
【実施例３】
【００２８】
図４に、本発明の実施例３の地上用変圧器装置を示す。図３は、地上用変圧器装置の右側面図を示す。
【００２９】
本実施例では、天井板５ｄの側面に通気孔を設けたものである。なお、図示していないが、天井板の背面側の側面にも通気孔を設けるのが好ましい。天井板の側面に通気孔を設けることにより、外箱の上部に熱せられた空気が滞ることなく、変圧器部の冷却効率を上げることができる。
【実施例４】
【００３０】
図５に、本発明の実施例４の地上用変圧器装置を示す。図５は、地上用変圧器装置の上部平面図を示す。
【００３１】
本実施例では、天井板に複数の孔から成る通気孔を設けるに代えて、ギャラリを取り付ける。すなわち、天井板５ｄに、ギャラリ取付用の大きめの穴を空け、この穴にギャラリ１３を取り付ける。本実施例によれば、ギャラリを用いることにより、通気孔の形成が容易となる。また、取り外し可能、取り替え可能となる。
【００３２】
以上、各実施例で説明したように、本発明によれば、天井板に通気孔を形成することにより、熱を持った空気を効率的に排気可能である。天井板の通気孔から侵入した水は、外箱の下部の排水口から排水することができる。そして、地上用変圧器装置の温度に余裕ができ、地上用変圧器装置の小形化、コスト増大を抑制することができる。
【符号の説明】
【００３３】
１  地上用変圧器装置
２  一次コンパートメント部
３  二次コンパートメント部
４  変圧器部
５  外箱
５ａ  外箱の底板
５ｂ  外箱の側板
５ｃ  外箱の背面板
５ｄ  外箱の天井板
６  開閉扉
７  変圧器タンク
７ａ  タンクの波リブ
９ａ  下部ギャラリ
９ｂ  上部ギャラリ
９ｃ  下げた下部ギャラリ
１０  天井板の通気孔
１１  傾斜した変圧器タンク上面
１２  天井板の側面孔
１３  天井板のギャラリ
１５  変圧器タンクの上面カバー
【図１】
2019092362.tif 000003
【図２】
2019092362.tif 000004
【図３】
2019092362.tif 000005
【図４】
2019092362.tif 000006
【図５】
2019092362.tif 000007
【図６】
2019092362.tif 000008